(57)【要約】【課題】触媒活性の低下を抑制し、フラッディングなどの性能低下を引き起こさない、発電効率及び耐久性を向上できる燃料電池発電システムを提供すること。【解決手段】発電開始時、または、発電停止時にアノード側ガスケット５ａとカソード側ガスケット５ｂの内の少なくとも一方の内周面で反応ガス中の水蒸気成分を凝縮させて、アノード側ガスケット５ａ及びカソード側ガスケット５ｂの内周面の近傍の不純物を除去するので、フラッディングを引き起こすことなく、アノード２ａ及びカソード２ｂの不純物による触媒活性の低下を抑制することができ、発電効率及び耐久性の向上を図ることができる。【選択図】図１
2010267563.tif 000002
【特許請求の範囲】
【請求項１】
電解質の両面にアノード及びカソードが配置された燃料電池と、前記燃料電池を挟んで互いに対向するように配置したアノード側セパレータ及びカソード側セパレータと、前記アノード側セパレータに設けられており前記アノードに反応ガスとしての燃料ガスを供給、排出するための燃料ガス流路と、前記カソード側セパレータに設けられており前記カソードに反応ガスとしての酸化剤ガスを供給、排出するための酸化剤ガス流路と、前記アノード側セパレータの前記燃料電池側の面内の前記アノードの外側の部分に配置されて前記燃料電池に当接し前記燃料ガスをシールするためのアノード側ガスケットと、前記カソード側セパレータの前記燃料電池側の面内の前記カソードの外側の部分に前記アノード側ガスケットに対向するように配置されて前記燃料電池に当接し前記酸化剤ガスをシールするためのカソード側ガスケットと、前記燃料電池を冷却するための冷却流体を供給、排出するための燃料電池冷却流体流路と、前記燃料電池冷却流体流路の上流から分岐され、前記アノード側ガスケットと前記カソード側ガスケットの内の少なくとも一方を冷却するように配置されたガスケット冷却流体流路と、発電開始時と発電停止時の内の少なくとも一方で前記アノード側ガスケットと前記カソード側ガスケットの内の少なくとも一方の内周面で前記燃料ガスあるいは前記酸化剤ガスに含まれる水蒸気成分を凝縮させる凝縮水制御手段とを備えた燃料電池発電システム。
【請求項２】
前記凝縮水制御手段は、前記ガスケット冷却流体流路を流れる前記冷却流体の流量を増加して、前記水蒸気成分の凝縮能力を増加させる請求項１記載の燃料電池発電システム。
【請求項３】
前記凝縮水制御手段は、前記燃料電池の発電量を増加して、前記水蒸気成分の凝縮能力を増加させる請求項１記載の燃料電池発電システム。
【請求項４】
前記凝縮水制御手段は、前記燃料ガスまたは前記酸化剤ガスの内の少なくとも一方の流量を増加させて、前記水蒸気成分の凝縮能力を増加させる請求項１記載の燃料電池発電システム。
【請求項５】
前記燃料ガス流路に存在する燃料ガスの圧力を調整するアノード側圧力調整弁と、前記酸化剤ガス流路に存在する酸化剤ガスの圧力を調整するカソード側圧力調整弁とを備え、前記凝縮水制御手段は、前記アノード側圧力調整弁及び前記カソード側圧力調整弁を制御して、前記アノードと前記カソードの内の少なくとも一方の内部圧力を増加して、前記水蒸気成分の凝縮能力を増加させる請求項１記載の燃料電池発電システム。
【請求項６】
発電開始時、または、発電停止時、所定の時間、前記燃料電池の負荷を切り離して、開回路状態にする請求項１記載の燃料電池発電システム。
【請求項７】
発電停止時、前記燃料電池の負荷を一旦低負荷状態にしてから、開回路状態にする請求項１または６記載の燃料電池発電システム。
【発明の詳細な説明】
【技術分野】
【０００１】
本発明は、アノード及びカソードの不純物による触媒活性の低下を抑制し、発電効率及び耐久性の向上を図った燃料電池発電システムに関する。 
【背景技術】
【０００２】
従来の一般的な燃料電池発電システムは、図７に示すように、電解質２１を挟んで互いに対向して設けられた燃料ガスが供給されるアノード２２ａと、酸化剤ガスが供給されるカソード２２ｂからなる燃料電池２３を複数積層して構成されるスタックを備える。
【０００３】
燃料ガス及び酸化剤ガスは、それぞれのガス流路が設けられたセパレータ２４ａ及び２４ｂを通じて、それぞれアノード２２ａ及びカソード２２ｂに供給される。
【０００４】
そして、燃料電池２３とセパレータ２４ａ及び２４ｂの間には、燃料ガス及び酸化剤ガスが外部へ漏れないようにガスケット２５ａ及び２５ｂが配置されている。
【０００５】
上記構成のスタックに、アノード２２ａに燃料ガスを供給する燃料ガス供給手段２６と、カソード２２ｂに酸化剤ガスを供給する酸化剤ガス供給手段２７が接続されていて、制御手段２８により、所望の発電状態となるように制御されている。
【０００６】
一方、従来の燃料電池発電システムは、様々な不純物に影響を受け、発電性能の低下が起こる場合があった。
【０００７】
不純物には、燃料電池発電システムを構成する樹脂材料や金属材料などの部材から発生する内的不純物と、大気などの外部から混入する外的不純物とがあり、これらの不純物がアノード２２ａやカソード２２ｂを被毒あるいは被覆して、発電反応を起こりにくくさせ、発電性能を低下させていた。
【０００８】
従来の燃料電池発電システムは、こうした不純物による影響を取り除くため、発電中に、制御手段２８が、燃料ガスあるいは酸化剤ガスの流量を減少させたり、アノード２２ａあるいはカソード２２ｂを加圧したり、スタックの温度を下げたりして、アノード２２ａあるいはカソード２２ｂの触媒層中に凝縮水を生成し、内部に蓄積した不純物をこの凝縮水で洗い流して除去していた（例えば、特許文献１参照）。
【先行技術文献】
【特許文献】
【０００９】
【特許文献１】特開２００８−２１８０５０号公報
【発明の概要】
【発明が解決しようとする課題】
【００１０】
しかしながら、前記従来のアノードあるいはカソードの電極面内の触媒層中に凝縮水を生成して、内部に蓄積した不純物を凝縮水で除去する方法では、発電中に電極面内に余剰水分が残っていると反応ガスが閉塞して、電圧が降下するフラッディング現象を起こしてしまうため、電極面内の余剰水分を除去する必要があった。余剰水分を除去するためには、所定の時間、燃料ガスあるいは酸化剤ガスの流量を増加したり、低加湿ガスを供給したりする必要があり、制御が複雑になり、多くの処理時間を費やすだけでなく、発電に寄与しない反応ガスの消費量が無駄に増えることになり、効率の面で未だ改善の余地があった。
【００１１】
また、本発明者らが鋭意検討した結果、燃料電池発電システムを構成する部材の中でも、燃料ガス及び酸化剤ガスをシールするために設けられるガスケットから発生する不純物が発電性能に与える影響が大きいことを見出した。
【００１２】
ガスケットなどのシール材には、弾力性などの機能を持たせるために可塑剤などの添加剤が配合されている場合が多く、これらの添加剤が、ガスケットが圧縮されたり、高温や水蒸気に曝されたりすることにより、滲み出たり、溶出したりする場合があり、アノード及びカソードに対して不純物となることがある。
【００１３】
ガスケットは、電解質や、アノード及びカソード、あるいは燃料ガスや酸化剤ガスと、直接接触する機会が多く、発電性能に与える影響が大きい。
【００１４】
本発明は、上記従来の課題を解決するもので、主に発電反応に寄与する電極面内の中央寄りの触媒層において、触媒活性の低下を抑制し、凝縮水が生成するのを抑制し、フラッディングなどの性能低下を引き起こさない、発電効率及び耐久性を向上できる燃料電池発電システムを提供することを目的とする。
【課題を解決するための手段】
【００１５】
上記従来の課題を解決するために、本発明の燃料電池発電システムは、燃料電池を冷却するための冷却流体を供給、排出するための燃料電池冷却流体流路の上流から分岐され、アノード側ガスケットとカソード側ガスケットの内の少なくとも一方を冷却するように配置されたガスケット冷却流体流路と、アノード側ガスケットとカソード側ガスケットの内の少なくとも一方の内周面で燃料ガスあるいは酸化剤ガスに含まれる水蒸気成分を凝縮させる凝縮水制御手段とを備え、発電開始時、または、発電停止時に、所定の時間、水蒸気成分の凝縮能力を増加させるものである。
【００１６】
これにより、電解質や、アノード及びカソード、あるいは燃料ガス及び酸化剤ガスに対して、直接接触する機会が多いガスケットの内周面の近傍の不純物が除去され、アノード及びカソードの不純物による触媒活性の低下を抑制するので、発電効率及び耐久性の向上を図ることができる。
【発明の効果】
【００１７】
本発明によれば、触媒活性を低下させる不純物を除去することができ、発電効率及び耐久性に優れた燃料電池発電システムを実現できる。
【００１８】
また、不純物を多く含むガスケットの内周面の近傍のみに凝縮水を生成し、主に発電に寄与するアノード及びカソードの電極面内の中央寄りの触媒層において、凝縮水を生成しないので、凝縮水によるフラッディングを防ぐことができる。
【００１９】
また、発電開始時、または、発電停止時に凝縮水を生成することにより、凝縮水によるフラッディングが起こりやすい状況になっても、発電への影響が最小限に抑えられ、高い発電効率を維持することができる。
【００２０】
また、多少の不純物が出る可能性のある部材を用いても、これを除去することができるので、システムの低コスト化を図ることができる。
【図面の簡単な説明】
【００２１】
【図１】本発明の実施の形態１における燃料電池発電システムの概略構成図
【図２】（ａ）同システムのアノード側セパレータの燃料ガス流路面の平面図（ｂ）同システムのカソード側セパレータの酸化剤ガス流路面の平面図（ｃ）同システムのカソード側セパレータの燃料電池冷却流体流路面の平面図
【図３】（ａ）同システムの発電停止時の運転シーケンスを示すフローチャート（ｂ）同システムの発電開始時の運転シーケンスを示すフローチャート
【図４】同システムの発電特性を示す特性図
【図５】（ａ）本発明の実施の形態２における燃料電池発電システムの発電停止時の運転シーケンスを示すフローチャート（ｂ）同システムの発電開始時の運転シーケンスを示すフローチャート
【図６】（ａ）本発明の実施の形態３における燃料電池発電システムの発電停止時の運転シーケンスを示すフローチャート（ｂ）同システムの発電開始時の運転シーケンスを示すフローチャート
【図７】従来の燃料電池発電システムの概略構成図
【発明を実施するための形態】
【００２２】
第１の発明は、電解質の両面にアノード及びカソードが配置された燃料電池と、前記燃料電池を挟んで互いに対向するように配置したアノード側セパレータ及びカソード側セパレータと、前記アノード側セパレータに設けられており前記アノードに反応ガスとしての燃料ガスを供給、排出するための燃料ガス流路と、前記カソード側セパレータに設けられており前記カソードに反応ガスとしての酸化剤ガスを供給、排出するための酸化剤ガス流路と、前記アノード側セパレータの前記燃料電池側の面内の前記アノードの外側の部分に配置されて前記燃料電池に当接し前記燃料ガスをシールするためのアノード側ガスケットと、前記カソード側セパレータの前記燃料電池側の面内の前記カソードの外側の部分に前記アノード側ガスケットに対向するように配置されて前記燃料電池に当接し前記酸化剤ガスをシールするためのカソード側ガスケットと、前記燃料電池を冷却するための冷却流体を供給、排出するための燃料電池冷却流体流路と、前記燃料電池冷却流体流路の上流から分岐され、前記アノード側ガスケットと前記カソード側ガスケットの内の少なくとも一方を冷却するように配置されたガスケット冷却流体流路と、発電開始時と発電停止時の内の少なくとも一方で前記アノード側ガスケットと前記カソード側ガスケットの内の少なくとも一方の内周面で前記燃料ガスあるいは前記酸化剤ガスに含まれる水蒸気成分を凝縮させる凝縮水制御手段とを備える。
【００２３】
この構成により、発電開始時、または、発電停止時にアノード側ガスケットとカソード側ガスケットの内の少なくとも一方の内周面のみで反応ガス中の水蒸気成分を凝縮させて、電解質や、アノード及びカソード、あるいは反応ガスに対して、直接接触する機会が多く、発電性能に与える影響の大きいガスケットの内周面の近傍の不純物を除去するので、フラッディングを引き起こすことなく、アノード及びカソードの不純物による触媒活性の低下を抑制することができ、発電効率及び耐久性の向上を図ることができる。
【００２４】
第２の発明は、第１の発明において、前記凝縮水制御手段は、前記ガスケット冷却流体流路を流れる前記冷却流体の流量を増加して、前記水蒸気成分の凝縮能力を増加させることを特徴とする。
【００２５】
これにより、発電開始時、または、発電停止時のアノード側ガスケット及びカソード側ガスケットの温度を速やかに低下させることができ、より短い時間でアノード側ガスケット及びカソード側ガスケットの内周面で凝縮水量を増加させ、発電中にアノード側ガスケット及びカソード側ガスケットの内周面近傍の凝縮水中に溶出した不純物とともに、燃料電池から外部へ速やかに排出することができ、より多くの不純物を除去することができる。
【００２６】
第３の発明は、第１の発明において、前記凝縮水制御手段は、前記燃料電池の発電量を
増加して、前記水蒸気成分の凝縮能力を増加させることを特徴とする。
【００２７】
これにより、発電停止直前に燃料ガス及び酸化剤ガス中に含まれる水蒸気量を増加することができ、アノード側ガスケット及びカソード側ガスケットの内周面の近傍に凝縮する水分量が増えるので、より多くの不純物を除去することができる。
【００２８】
第４の発明は、第１の発明において、前記凝縮水制御手段は、前記燃料ガスまたは前記酸化剤ガスの内の少なくとも一方の流量を増加させて、前記水蒸気成分の凝縮能力を増加させることを特徴とする。
【００２９】
これにより、発電停止直前に燃料ガス及び酸化剤ガス中に含まれる水蒸気量を増加することができ、アノード側ガスケット及びカソード側ガスケットの内周面の近傍に凝縮する水分量が増えるので、より多くの不純物を除去することができる。
【００３０】
第５の発明は、第１の発明において、前記燃料ガス流路に存在する燃料ガスの圧力を調整するアノード側圧力調整弁と、前記酸化剤ガス流路に存在する酸化剤ガスの圧力を調整するカソード側圧力調整弁とを備え、前記凝縮水制御手段は、前記アノード側圧力調整弁及び前記カソード側圧力調整弁を制御して、前記アノードと前記カソードの内の少なくとも一方の内部圧力を増加して、前記水蒸気成分の凝縮能力を増加させることを特徴とする。
【００３１】
これにより、発電開始時、または、発電停止時の水蒸気分圧が増え、ガスケットの内周面の凝縮水量を増加させることができ、より多くの不純物を除去することができる。
【００３２】
第６の発明は、第１の発明において、発電開始時、または、発電停止時、所定の時間、前記燃料電池の負荷を切り離して、開回路状態にすることを特徴とする。
【００３３】
これにより、発電開始時、または、発電停止時に、カソードの電位が１Ｖ付近まで上昇し、カソード側のガスケットの内周面の近傍にある不純物が酸化され、除去されやすくなり、被毒されていたカソード触媒活性を回復することができる。
【００３４】
第７の発明は、第１または６の発明において、発電停止時、前記燃料電池の負荷を一旦低負荷状態にしてから、開回路状態にすることを特徴とする。
【００３５】
これにより、発電停止直前の生成水量が減少し、電極面に余剰水分が蓄積することを抑制するので、フラッディングによる電圧降下を防止することができる。
【００３６】
また、燃料ガスおよび酸化剤ガスの量を減少させることにより、発電に寄与しない開回路状態における燃料ガスおよび酸化剤ガスの消費量を減少させるので、総合効率を高く維持することができる。
【００３７】
以下、本発明の実施の形態について、図面を参照しながら説明するが、先に説明した実施の形態と同一構成については同一符号を付して、その詳細な説明は省略する。なお、この実施の形態によってこの発明が限定されるものではない。
【００３８】
（実施の形態１）
図１は、本発明の実施の形態１における燃料電池発電システムを示す概略構成図である。
【００３９】
図１に示すように、本発明の実施の形態１の燃料電池発電システムは、電解質１の両面
にアノード２ａ及びカソード２ｂを対向して形成した燃料電池３を備える。
【００４０】
ここで、電解質１は、例えば水素イオン伝導性を有するパーフルオロカーボンスルフォン酸ポリマーからなる固体高分子電解質から構成される。
【００４１】
また、アノード２ａとカソード２ｂは、耐酸化性の高い多孔質カーボンに白金などの貴金属を担持した触媒及び水素イオン伝導性を有する高分子電解質との混合物からなる触媒層と、触媒層の上に積層した通気性及び電子伝導性を有するガス拡散層から構成される。
【００４２】
このとき、アノード２ａの触媒として、一般に、燃料ガス中に含まれる不純物、特に一酸化炭素による被毒を抑制する白金−ルテニウムの合金触媒が用いられる。
【００４３】
また、ガス拡散層として、撥水処理を施したカーボンペーパーやカーボンクロス、あるいはカーボン不織布などが用いられる。
【００４４】
そして、燃料電池３を挟むようにして、アノード側セパレータ４ａ及びカソード側セパレータ４ｂが互いに対向するように配置されている。
【００４５】
ここで、アノード側セパレータ４ａ及びカソード側セパレータ４ｂは、主にカーボンなどの導電性を有する材料で形成される。
【００４６】
図２（ａ）及び（ｂ）にそれぞれアノード側セパレータ４ａ及びカソード側セパレータ４ｂの燃料電池３側の反応ガス流路面の平面図を示す。
【００４７】
アノード側セパレータ４ａには、サーペンタイン状の燃料ガス流路４１ａが形成され、アノード２ａに供給される少なくとも水素を含む燃料ガスは、燃料ガス入口マニホールド４２ａから供給され、燃料ガス流路４１ａを流通して、燃料ガス出口マニホールド４３ａへ排出される。
【００４８】
そして、燃料ガスを外部及び別流体の流通路にリークさせないために、燃料電池３のアノード２ａの外側の部分に当接してシールするようにゴム状の弾性体などからなるアノード側ガスケット５ａが配置されている。
【００４９】
一方、カソード側セパレータ４ｂには、アノード２ａの燃料ガス流路４１ａに対向するように同様のサーペンタイン状の酸化剤ガス流路４１ｂが形成され、カソード２ｂに供給される少なくとも酸素を含む酸化剤ガスは、酸化剤ガス入口マニホールド４２ｂから供給され、酸化剤ガス流路４１ｂを流通して、酸化剤ガス出口マニホールド４３ｂへ排出される。
【００５０】
そして、酸化剤ガスを外部及び別流体の流通路にリークさせないために、燃料電池３のカソード２ｂの外側の部分に当接してシールするようにゴム状の弾性体などからなるカソード側ガスケット５ｂがアノード側ガスケット５ａに対向するように配置されている。
【００５１】
なお、燃料ガス流路４１ａ及び酸化剤ガス流路４１ｂの流路パターンは図示した並行する対向流に限定されるものではなく、他の流路パターンでもよい。
【００５２】
そして、カソード側セパレータ４ｂの燃料電池３側面の反対の面には、燃料電池３を冷却するための冷却流体を供給、排出する燃料電池冷却流体流路６を形成した。
【００５３】
図２（ｃ）にカソード側セパレータ４ｂの燃料電池冷却流体流路６を形成した面の平面
図を示す。
【００５４】
冷却流体は、燃料電池冷却流体流路入口マニホールド６１から供給され、サーペンタイン状の燃料電池冷却流体流路６を流通して、燃料電池３で発生した熱と熱交換しながら高温になって燃料電池冷却流体流路出口マニホールド６２から排出される。
【００５５】
さらに、燃料電池冷却流体流路６の上流の一部には、アノード側セパレータ４ａ及びカソード側セパレータ４ｂを介して対面するアノード側ガスケット５ａ及びカソード側ガスケット５ｂを間接的に冷却するガスケット冷却流体流路８が設けられており、熱交換する前の温度の低い状態の冷却流体が、先にガスケット冷却流体流路８を流通して、間接的にアノード側ガスケット５ａ及びカソード側ガスケット５ｂを冷却した後、再び燃料電池冷却流体流路６の上流に戻り、燃料電池冷却流体流路６を流通して、燃料電池３で発生した熱と熱交換しながら高温になって燃料電池冷却流体流路出口マニホールド６２から排出される構成とした。
【００５６】
そして、冷却流体を外部及び別流体の流通路にリークさせないために、燃料電池冷却流体流路６及びガスケット冷却流体流路８の外周をシールするために、ゴム状の弾性体からなる燃料電池冷却流体ガスケット７を配置した。
【００５７】
この構成により、ガスケット冷却流体流路８をアノード側ガスケット５ａ及びカソード側ガスケット５ｂに近接してコンパクトに配置することができ、アノード側ガスケット５ａ及びカソード側ガスケット５ｂを効率的に冷却することができる。
【００５８】
なお、燃料電池冷却流体流路６及びガスケット冷却流体流路８は、アノード側セパレータ４ａの燃料電池３側の反対の面に形成してもよく、また、単独で燃料電池冷却流体流路６及びガスケット冷却流体流路８を形成したセパレータを別途設けてもよい。
【００５９】
そして、上記構成の燃料電池３と各セパレータ４ａ及び４ｂからなるセルを複数積層し、両端に電流を取り出すために集電体９及び端板１０を配置し、締結してスタックを構成した。スタックの周囲には外部への放熱を防止して排熱回収効率を高めるため、断熱材１１を配置した。
【００６０】
そして、冷却流体を溜める冷却流体タンク１２と、冷却流体を任意の流量で供給する冷却流体ポンプ１３と、燃料電池３で発生する熱と熱交換して高温になった冷却流体とさらに熱交換してお湯を作る熱交換器１４を図１のように配置した。
【００６１】
そして、アノード２ａ側に水素を含む燃料ガスを供給する燃料ガス供給手段１５と、カソード２ｂ側に大気中の酸素を含む酸化剤ガスを供給する酸化剤ガス供給手段１６を接続した。
【００６２】
ここで、燃料ガス供給手段１５は、都市ガスなどの原料ガスから触媒毒である硫黄化合物を除去する脱硫器１５１と、燃料ガスの流量を制御する燃料ガス供給手段１５２と、都市ガスを改質して水素を生成する燃料処理器１５３を備える。
【００６３】
さらに、燃料処理器１５３は、少なくとも改質部と、一酸化炭素変成部と、一酸化炭素除去部とで構成される。
【００６４】
ここで、例えば原料ガスにメタンを用いた場合、改質部では、水蒸気を伴って（化１）及び（化２）に示した反応が起こり、水素が発生する。
【００６５】
【化１】
2010267563.tif 000003
【００６６】
【化２】
2010267563.tif 000004
【００６７】
なお、改質部で起こる全反応をまとめると（化３）に示す反応が行われる。
【００６８】
【化３】
2010267563.tif 000005
【００６９】
しかし、改質部で生成した改質ガス中には水素以外に１０％程度の一酸化炭素が含まれている。そして、一酸化炭素は、燃料電池３の運転温度域においてアノード２ａに含まれる白金触媒を被毒して、その触媒活性を低下させる。そこで、改質部で発生した一酸化炭素を、一酸化炭素変成部で（化２）の反応式に示すように、一酸化炭素を二酸化炭素に変成する。これにより、一酸化炭素の濃度が約５０００ｐｐｍまで減少する。
【００７０】
さらに、濃度が低減した一酸化炭素を、一酸化炭素除去部で（化４）で示す反応により、大気中などから取り込んだ酸素で選択的に酸化する。これにより、アノード２ａの白金触媒の触媒活性の低下を抑制できる約１０ｐｐｍ以下までに一酸化炭素の濃度が減少する。
【００７１】
【化４】
2010267563.tif 000006
【００７２】
また、発電中にアノード２ａに空気を供給するエアブリード手段を設けて、燃料処理器１５３で生成した燃料ガスに１〜２％程度の空気を混合した。これにより、わずかに残る一酸化炭素の影響をさらに軽減させた。
【００７３】
なお、燃料ガス供給手段１５は、上記水蒸気改質法に限られず、オートサーマル法などの水素生成方法でもよい。また、燃料ガスに含まれる一酸化炭素濃度が低い場合はエアブリード手段を省略してもよい。
【００７４】
次に、酸化剤ガス供給手段１６について、具体的に説明する。酸化剤ガス供給手段１６は、酸化剤ガスを取り込んで流量を制御する酸化剤ガス流量制御手段であるブロワ１６１と、酸化剤ガス中の不純物を除去する不純物除去手段１６２と、酸化剤ガスを加湿する加湿器１６３で構成される。
【００７５】
ここで、酸化剤ガスとは、少なくとも酸素を含む（あるいは酸素を供給することのできる）ガスの総称であり、例えば大気（空気）が利用される。
【００７６】
そして、スタックのアノード２ａ及びカソード２ｂの出口に、それぞれ、燃料ガス流路４１ａに存在する燃料ガスの圧力を調整するアノード側圧力調整弁１７ａと、酸化剤ガス流路４１ｂに存在する酸化剤ガスの圧力を調整するカソード側圧力調整弁１７ｂを配置して、アノード２ａ及びカソード２ｂの内部圧力をそれぞれ制御できるようにした。
【００７７】
そして、燃料電池冷却流体流路６及びガスケット冷却流体流路８に流れる冷却流体の流量と、アノード２ａに供給する燃料ガスの流量と、カソード２ｂに供給する酸化剤ガスの流量と、発電量と、アノード２ａ及びカソード２ｂの内部圧力を制御して、アノード側ガスケット５ａ及びカソード側ガスケット５ｂの内周面の近傍に生成される凝縮水の量を調整する凝縮水制御手段を設けた。
【００７８】
そして、燃料電池３に接続する負荷を制御する負荷制御手段を設け、発電量を制御できるようにした。
【００７９】
次に、上記構成の燃料電池発電システムの動作について、具体的に説明する。
【００８０】
まず、アノード２ａに燃料ガス、カソード２ｂに酸化剤ガスを供給して、負荷制御手段を制御して燃料電池３に負荷を接続すると、燃料ガス中の水素は反応式（化５）で示すようにアノード２ａの触媒層と電解質１の界面で電子を放出して水素イオンとなる。
【００８１】
【化５】
2010267563.tif 000007
【００８２】
そして、放出された水素イオンは、電解質１を通ってカソード２ｂへと移動し、カソード２ｂの触媒層と電解質１の界面で電子を受け取る。このとき、カソード２ｂに供給された酸化剤ガス中の酸素と反応して、反応式（化６）で示すように水を生成する。
【００８３】
【化６】
2010267563.tif 000008
【００８４】
上記反応をまとめると（化７）に示す反応が行われる。
【００８５】
【化７】
2010267563.tif 000009
【００８６】
そして、負荷を流れる電子の流れを直流の電気エネルギーとして利用できる。また、上記一連の反応は発熱反応であるため、燃料電池３で発生した熱を、燃料電池冷却流体流路６から供給される冷却流体により熱交換して回収することにより、お湯などの熱エネルギーとして利用することができる。
【００８７】
冷却流体タンク１２に溜まった冷却流体は冷却流体ポンプ１３により、まずガスケット冷却流体流路８に供給され、アノード側ガスケット５ａ及びカソード側ガスケット５ｂを間接的に冷却した後、次いで、燃料電池冷却流体流路６に供給され、燃料電池３で発生した熱と熱交換してスタックから排出され、熱交換器１４に供給され、水と熱交換され、再び温度を低下させた後、冷却流体タンク１２に戻り、循環する構成になっている。
【００８８】
ところで、上記構成の燃料電池発電システムに使用されている部材には、金属材料や樹脂材料といった様々な材料が用いられているが、これらの部材から発生する不純物が燃料電池３の発電反応を阻害し、発電性能を低下させる場合がある。
【００８９】
特に、燃料ガス及び酸化剤ガスをシールするために設けられるアノード側ガスケット５ａ及びカソード側ガスケット５ｂは、電解質１や、アノード２ａ及びカソード２ｂ、あるいは燃料ガス及び酸化剤ガスに対して、直接接触する機会が多いので、発電性能に与える影響が大きい。
【００９０】
アノード側ガスケット５ａ及びカソード側ガスケット５ｂには、弾力性などの機能を持たせるために可塑剤などの添加剤が配合されている場合が多く、圧縮されたり、高温や水蒸気に曝されたりすることにより、これらの添加剤が滲み出たり、溶出したりする場合があり、アノード２ａ及びカソード２ｂに対して不純物となることがある。
【００９１】
予め不純物をあまり含まない材料を採用したり、洗浄、エージングなどの工程で不純物を除去したり、不純物の影響を小さくすることは可能であるが、量産性が低下したり、コストが増加したりするという課題があった。
【００９２】
本発明の実施の形態１の燃料電池発電システムによれば、アノード２ａ及びカソード２ｂには、それぞれ水蒸気を含む燃料ガス及び酸化剤ガスが供給されており、ガスケット冷却流体流路８に流れる温度の低い状態の冷却流体が、アノード側ガスケット５ａ及びカソード側ガスケット５ｂを間接的に冷却することにより、アノード側ガスケット５ａ及びカソード側ガスケット５ｂの内周面の近傍で、燃料ガス及び酸化剤ガス中に含まれる水蒸気を冷却して凝縮水を生成し、その凝縮水がアノード側ガスケット５ａ及びカソード側ガスケット５ｂから発生する不純物を洗い流して除去するので、発電に対する不純物の影響を緩和することができる。
【００９３】
さらに、凝縮水を生成する箇所がアノード側ガスケット５ａ及びカソード側ガスケット５ｂの内周面の近傍のみに限られるため、主に発電に寄与する電極面内にフラッディングさせるような余剰水分が生成せず、発電性能に優れた燃料電池発電システムを得ることができる。
【００９４】
また、発電開始時、または、発電停止時に凝縮水を生成する操作を行うことにより、凝縮水によるフラッディングが起こりやすい状況になっても、発電への影響を最小限に抑えるので、高い発電効率を維持することができる。
【００９５】
次に、本発明の実施の形態１の燃料電池発電システムを用いて、凝縮水制御手段が発電停止時、及び発電開始時に、一旦発電量を増加させて、凝縮水量を増加させて、不純物を除去するときの、具体的な動作について、図３（ａ）及び（ｂ）のフローチャートを用いて説明する。
【００９６】
まず、図３（ａ）のフローチャートにおいて、凝縮水制御手段の発電停止時の動作について説明する。
【００９７】
燃料電池発電システムに発電停止の信号が入力される（ステップ１０１）と、凝縮水制御手段がガスケット冷却流体流路８に流れる冷却流体の流量を増加し（ステップ１０２）、アノード側ガスケット５ａ及びカソード側ガスケット５ｂを間接的に冷却する冷却流体の冷却能力を増加する。
【００９８】
これにより、発電停止直前のアノード側ガスケット５ａ及びカソード側ガスケット５ｂの温度が速やかに低下し、より短い時間でアノード側ガスケット５ａ及びカソード側ガスケット５ｂの内周面で凝縮する凝縮水量が増加し、より多くの不純物を除去することができる。
【００９９】
次に、凝縮水制御手段が、反応ガス流量一定のまま、一時的に発電量のみを増加して（ステップ１０３）、所定の時間が経過したら（ステップ１０４）、発電量を減少する（ステップ１０５）。
【０１００】
一時的に発電量を増加することにより、反応ガスが反応して生成する生成水量が増加して、発電停止直前に反応ガス中に含まれる水蒸気量を増加することができ、アノード側ガスケット５ａあるいはカソード側ガスケット５ｂの内周面の近傍に凝縮する凝縮水量を増加することができる。また、その後で、発電量を減少して、発電停止前に、生成水量を減少するので、電極面に余剰水分が蓄積することを抑制することができる。
【０１０１】
次に、負荷制御手段が、負荷を切り離し、燃料電池３を開回路状態にして（ステップ１０６）、所定時間経過後に（ステップ１０７）、燃料ガス及び酸化剤ガスを停止して（ステップ１０８）、燃料電池発電システムを停止する。
【０１０２】
燃料電池３を開回路状態にすることにより、カソード２ｂの電位が１Ｖ付近まで上昇し、カソード側のガスケット５ｂの内周面の近傍にある不純物が酸化され、除去されやすくなり、被毒されていたカソード２ｂの触媒活性を回復することができる。
【０１０３】
アノード側ガスケット５ａ及びカソード側ガスケット５ｂの内周面で凝縮した凝縮水に溶解したアノード側ガスケット５ａ及びカソード側ガスケット５ｂから発生した不純物は、次の発電開始時に供給される燃料ガス及び酸化剤ガスにより、凝縮水とともにスタックの外部へ排出される。
【０１０４】
そして、不純物を含む燃料ガス及び酸化剤ガスのオフガスはそれぞれ熱交換された後、冷却されて、不純物を含む水分が凝縮して分離される。
【０１０５】
不純物を含む水分は、一旦凝縮水タンクなどに溜められ、その後、活性炭やイオン交換
樹脂などから成るフィルターを通過して、再び改質水や加湿水として利用することができる。そして、不純物はフィルターに吸着除去される。
【０１０６】
次に、発電開始時のフローチャートを図３の（ｂ）を用いて説明する。
【０１０７】
まず、燃料電池発電システムに発電開始の信号が入力される（ステップ２０１）と、凝縮水制御手段がガスケット冷却手段のガスケット冷却流体流路８に発電中に流す流量より大きな流量で冷却流体を供給する（ステップ２０２）。
【０１０８】
発電中に流す流量より大きな流量を流すことにより、発電開始直前のアノード側ガスケット５ａ及びカソード側ガスケット５ｂの内周面の温度を低く保持することができ、反応ガス中に含まれる水蒸気成分が来たときに、より多くの凝縮水を生成することができる。
【０１０９】
次に、アノード２ａに水蒸気を含む燃料ガスと、カソード２ｂに加湿された酸化剤ガスを供給して（ステップ２０３）、所定の時間、負荷制御手段が、燃料電池３を開回路状態に保持する（ステップ２０４）。
【０１１０】
これにより、カソードの電位が１Ｖ付近まで上昇し、カソード側ガスケット５ｂの内周面の近傍にある不純物が酸化され、除去されやすくなり、被毒されていたカソード触媒活性を回復することができる。
【０１１１】
そして、凝縮水制御手段がガスケット冷却流体流路８に流れる冷却流体の流量を低減させ、発電中の燃料電池３の温度を所望の温度にする流量に減少させる（ステップ２０５）。
【０１１２】
そして、燃料ガス及び酸化剤ガスの流量を所望の流量に設定して、負荷制御手段が、所望の発電量となるように負荷を制御して、発電を開始する（ステップ２０６）。
【０１１３】
上記構成及び上記運転シーケンスを用いて効果の確認を行った。
【０１１４】
まず、アノード側ガスケット５ａ及びカソード側ガスケット５ｂから発生する不純物が燃料電池３に与える影響を確認するため、比較例として、燃料電池冷却流体流路６を形成した面にガスケット冷却手段のガスケット冷却流体流路８がないカソード側セパレータ４ｂを用いたスタックを作製し、発電試験を行った。
【０１１５】
ここで、アノード２ａに７０％の利用率で燃料ガスを供給した。この時の燃料ガスの露点は約６５℃であった。また、カソード２ｂには利用率が５０％、露点が６５℃となるように酸化剤ガスを供給した。そして、電流が一定に流れるように負荷制御手段を制御し、アノード２ａ及びカソード２ｂの電極面積に対し電流密度が０．２Ａ／ｃｍ２となるように制御した。また、燃料電池３を冷却する燃料電池冷却流体流路６及びガスケット冷却流体流路８に流す冷却流体は、燃料電池冷却流体流路入口マニホールド６１の近傍で約５５℃、燃料電池冷却流体流路出口マニホールド６２の近傍で約７０℃となるように冷却流体の流量を制御した。
【０１１６】
上記運転条件で発電をしている状態において、ガスケット冷却流体流路８には、燃料電池冷却流体流路入口マニホールド６１に近い温度の冷却流体が流通するが、熱交換した後の冷却流体が流れる燃料電池冷却流体流路出口マニホールド６２の近傍を通るガスケット冷却流体流路８の冷却流体の温度はわずかに上昇していた。
【０１１７】
そして、アノード側セパレータ４ａ及びカソード側セパレータ４ｂを介して、アノード
側ガスケット５ａ及びカソード側ガスケット５ｂを冷却している。
【０１１８】
一方、アノード２ａには６５℃の露点の燃料ガスが供給されているので、冷却されているアノード側ガスケット５ａの内周面の近傍で、燃料ガス中に含まれる水蒸気成分が冷やされ凝縮して凝縮水が生成される。
【０１１９】
また、同様にカソード２ｂには６５℃の露点の酸化剤ガスが供給されているので、冷却されているカソード側ガスケット５ｂの内周面の近傍で、酸化剤ガス中に含まれる水蒸気成分が冷やされて凝縮して凝縮水が生成される。
【０１２０】
そして、アノード側ガスケット５ａ及びカソード側ガスケット５ｂの内周面の近傍で凝縮した凝縮水にアノード側ガスケット５ａ及びカソード側ガスケット５ｂから発生した不純物が溶出して溶け込む。
【０１２１】
次に、発電を停止するために凝縮水制御手段を制御して、冷却流体の流量を増加すると、燃料電池冷却流体流路出口マニホールド６２の近傍の温度が約６０℃まで低下した。
【０１２２】
これに伴い、ガスケット冷却流体流路８を流れる冷却流体の温度が燃料電池冷却流体流路入口マニホールド６１の温度にさらに近くなり、ガスケット冷却流体流路８を流れる冷却流体全体の温度が低下し、アノード側ガスケット５ａ及びカソード側ガスケット５ｂの温度をさらに低下させた。
【０１２３】
これにより、発電停止直前のアノード側ガスケット５ａ及びカソード側ガスケット５ｂの内周面の凝縮水量が増加し、溶解した不純物とともに、それぞれ燃料ガス流路４１ａ及び酸化剤ガス流路４１ｂを通って、燃料電池３の外部へと排出される。
【０１２４】
そして、凝縮水制御手段が、一時的に発電量を０．３Ａ／ｃｍ２まで増加させ、所定の時間が経過した後、発電量を０．０６Ａ／ｃｍ２まで減少させた。
【０１２５】
その後、負荷制御手段が、負荷を切り離し、燃料電池３を所定の時間、開回路状態にした。このときの単電池の電池電圧は約１Ｖであった。
【０１２６】
そして最後に、燃料ガス及び酸化剤ガスおよび冷却流体の供給を停止して、燃料電池発電システムを停止した。
【０１２７】
次に、燃料電池発電システムの発電を開始するために、凝縮水制御手段に発電開始の信号を入力した。
【０１２８】
ガスケット冷却流体流路８及び燃料電池冷却流体流路６には停止直前に流した時と同じ発電中よりも多い流量で、冷却流体が供給された。
【０１２９】
次に、アノード２ａに水蒸気を含む燃料ガスと、カソード２ｂに加湿された酸化剤ガスを供給し、所定の時間、負荷制御手段が、燃料電池３を開回路状態に保持した。
【０１３０】
そして、凝縮水制御手段がガスケット冷却流体流路８に流れる冷却流体の流量を低減させ、発電中の燃料電池３の温度を所望の温度にする流量に減少し、燃料ガス及び酸化剤ガスの流量を所望の流量に設定して、負荷制御手段が、所望の発電量となるように負荷を制御して、発電を開始した。
【０１３１】
そして、定期的にこの発電と停止を繰り返して、電池電圧の傾き（劣化率）を調べた。
図４に単電池当りの電池電圧の経時的変化を示す。細点線が比較例の電池電圧の挙動を示している。白丸と細実線はその発電開始後一定時間経過後における電池電圧値の変化を示している。図４より、比較例の電池電圧は劣化率が大きく、経過時間とともに電池電圧が低下していることが判った。
【０１３２】
次に、本発明の実施の形態１の燃料電池発電システムを用いて、同様の運転条件で定期的に発電と停止を繰り返す発電試験を行い、劣化率について調べた。試験結果を同じく図４に示す。太点線が本発明の実施の形態１の電池電圧の挙動を示している。発電開始時に一定時間（１〜３０秒程度）、燃料電池３を開回路状態にしているため、カソード２ｂの電位にほぼ等しい電池電圧が１Ｖ付近まで上昇していることが判る。また、発電停止直前に、所定の時間、発電量を増加して、その後発電量を低下して、再び一定時間、開回路状態にしているため、電池電圧は図４に示したように発電停止直前で一旦下がった後、段階的に上昇していることが判る。
【０１３３】
本発明の実施の形態１の燃料電池発電システムの構成と、運転シーケンスによれば、電池電圧はほぼ一定に推移し、電池電圧がほとんど低下しないことが判った。
【０１３４】
また、比較例のガスケット冷却手段を持たないアノード側セパレータおよびカソード側セパレータを用いて同様に構成した燃料電池発電システムを用いて、本発明の実施の形態１の運転シーケンスで運転した場合、電池電圧の劣化率の改善は見られたものの、発電中に電池電圧が振動したり、不定期に一時的な電圧低下が発生したりするフラッディング現象が見られ、不安定な発電状態になっていた。
【０１３５】
したがって、本発明によれば、触媒活性を低下させる不純物を除去することができ、発電効率及び耐久性に優れた燃料電池発電システムを実現できる。
【０１３６】
また、不純物を多く含むアノード側ガスケット５ａ及びカソード側ガスケット５ｂの内周面の近傍のみに凝縮水を生成し、主に発電に寄与するアノード２ａ及びカソード２ｂの電極面内の中央部分には凝縮水を生成しないので、凝縮水によるフラッディング及びそれによる電圧降下を防ぐことができる。
【０１３７】
また、発電開始時、または、発電停止時に凝縮水を生成することにより、凝縮水によるフラッディングが起こりやすい状況になっても、発電への影響が最小限に抑えられ、高い発電効率を維持することができる。
【０１３８】
また、多少の不純物が出る部材を用いても、これを除去することができるので、システムの低コスト化を図ることができる。
【０１３９】
（実施の形態２）
本発明の実施の形態２の燃料電池発電システムは、凝縮水制御手段が、発電開始時、または、発電停止時に、燃料ガスと、酸化剤ガスの内少なくともどちらかのガス流量を増加させて、含まれる水蒸気成分の絶対量を増加することで凝縮水量を増加させる点で、実施の形態１とは異なる。
【０１４０】
なお、凝縮水制御手段の制御以外の構成要素は、実施の形態１と同様であるため、説明を省略する。
【０１４１】
図５（ａ）及び（ｂ）に本発明の実施の形態２の燃料電池発電システムのそれぞれ発電停止時及び発電開始時のフローチャートを示す。
【０１４２】
まず、燃料電池発電システムに発電停止の信号が入力される（ステップ３０１）と、凝縮水制御手段が、ガスケット冷却流体流路８に流れる冷却流体の流量を増加させ（ステップ３０２）、アノード側ガスケット５ａ及びカソード側ガスケット５ｂを間接的に冷却する。
【０１４３】
次に、凝縮水制御手段が、発電量一定のまま、一時的に燃料ガス流量または酸化剤ガス流量を増加して（ステップ３０３）、所定の時間が経過したら（ステップ３０４）、燃料ガス流量または酸化剤ガス流量を減少する（ステップ３０５）。
【０１４４】
一時的に燃料ガス流量または酸化剤ガス流量を増加することにより、含まれる水蒸気成分の絶対量が増加して、発電停止直前に反応ガス中に含まれる水蒸気量を増加することができ、アノード側ガスケット５ａあるいはカソード側ガスケット５ｂの内周面の近傍に凝縮する凝縮水量を増加することができる。また、その後で、燃料ガス流量または酸化剤ガス流量を減少して、発電停止前に、水蒸気量を減少するので、電極面に余剰水分が蓄積することを抑制することができる。
【０１４５】
また、燃料ガスおよび酸化剤ガスの量を減少させることにより、発電に寄与しない開回路状態における燃料ガスおよび酸化剤ガスの消費量を減少させるので、総合効率を高く維持することができる。
【０１４６】
次に、負荷制御手段が、負荷を切り離し、燃料電池３を開回路状態にして（ステップ３０６）、所定時間経過後に（ステップ３０７）、燃料ガス及び酸化剤ガスを停止して（ステップ３０８）、燃料電池発電システムを停止する。
【０１４７】
燃料電池３を開回路状態にすることにより、カソード２ｂの電位が１Ｖ付近まで上昇し、カソード側のガスケット５ｂの内周面の近傍にある不純物が酸化され、除去されやすくなり、被毒されていたカソード２ｂの触媒活性を回復することができる。
【０１４８】
次に、発電開始時のフローチャートを図５の（ｂ）を用いて説明する。
【０１４９】
まず、燃料電池発電システムに発電開始の信号が入力される（ステップ４０１）と、凝縮水制御手段がガスケット冷却手段のガスケット冷却流体流路８に発電中に流す流量より大きな流量で冷却流体を供給する（ステップ４０２）。
【０１５０】
発電中に流す流量より大きな流量を流すことにより、発電開始直前のアノード側ガスケット５ａ及びカソード側ガスケット５ｂの内周面の温度を低く保持することができ、反応ガス中に含まれる水蒸気成分が来たときに、より多くの凝縮水を生成することができる。
【０１５１】
次に、アノード２ａに水蒸気を含む燃料ガスと、カソード２ｂに加湿された酸化剤ガスを供給して（ステップ４０３）、所定の時間、負荷制御手段が、燃料電池３を開回路状態に保持する（ステップ４０４）。
【０１５２】
これにより、カソードの電位が１Ｖ付近まで上昇し、カソード側ガスケット５ｂの内周面の近傍にある不純物が酸化され、除去されやすくなり、被毒されていたカソード触媒活性を回復することができる。
【０１５３】
そして、凝縮水制御手段がガスケット冷却流体流路８に流れる冷却流体の流量を低減させ、発電中の燃料電池３の温度を所望の温度にする流量に減少させる（ステップ４０５）。
【０１５４】
そして、燃料ガス及び酸化剤ガスの流量を所望の流量に設定して、負荷制御手段が、所望の発電量となるように負荷を制御して、発電を開始する（ステップ４０６）。
【０１５５】
上記運転シーケンスで燃料電池発電システムを動作させたところ、実施の形態１と同様の効果を示し、アノード２ａ及びカソード２ｂの内部圧力を上昇させるだけでも、凝縮水の量が増え、不純物に対する影響が緩和することが判った。
【０１５６】
また、実施の形態１の動作と組み合わせて、燃料ガスあるいは酸化剤ガスの流量を増加させるタイミングで、発電量を増加させることにより、さらに、アノード側ガスケット５ａあるいはカソード側ガスケット５ｂの内周面の近傍に凝縮する凝縮水量を増加することができ、より不純物を多く除去することができる。
【０１５７】
（実施の形態３）
本発明の実施の形態３の燃料電池発電システムは、凝縮水制御手段が、発電開始時、または、発電停止時に、アノード側圧力調整弁１７ａ及びカソード側圧力調整弁１７ｂを用いて、アノード２ａ及びカソード２ｂの内部圧力を調整する点で、実施の形態１とは異なる。
【０１５８】
なお、凝縮水制御手段の制御以外の構成要素は、実施の形態１と同様であるため、説明を省略する。
【０１５９】
図６（ａ）及び（ｂ）に本発明の実施の形態２の燃料電池発電システムのそれぞれ発電停止時及び発電開始時のフローチャートを示す。
【０１６０】
まず、燃料電池発電システムに発電停止の信号が入力される（ステップ５０１）と、凝縮水制御手段が、ガスケット冷却流体流路８に流れる冷却流体の流量を増加させ（ステップ５０２）、アノード側ガスケット５ａ及びカソード側ガスケット５ｂを間接的に冷却する。
【０１６１】
次に、凝縮水制御手段が、アノード２ａ及びカソード２ｂの内部圧力を増加させるようにそれぞれアノード側圧力調整弁１７ａ及びカソード側圧力調整弁１７ｂの開度を絞って制御して内部の圧力を上昇させる（ステップ５０３）。
【０１６２】
これにより、発電停止直前の水蒸気分圧が増え、アノード側ガスケット５ａ及びカソード側ガスケット５ｂの内周面の凝縮水量を増加させることができ、より多くの不純物を除去することができる。
【０１６３】
そして、所定の時間が経過したら（ステップ５０４）、負荷制御手段が負荷を切り離し、燃料電池３を開回路状態にして（ステップ５０５）、所定時間経過後に（ステップ５０６）、燃料ガス及び酸化剤ガスを停止して（ステップ５０７）、燃料電池発電システムを停止する。
【０１６４】
次に、発電開始時のフローチャートを図６（ｂ）に示す。
【０１６５】
まず、燃料電池発電システムの発電開始の信号が入力される（ステップ６０１）と、凝縮水制御手段がガスケット冷却流体流路８に発電中より大きな流量で冷却流体を供給する（ステップ６０２）。
【０１６６】
次に、アノード２ａに水蒸気を含む燃料ガスと、カソード２ｂに加湿された酸化剤ガスを供給して、所定の時間、負荷制御手段が燃料電池３を開回路状態に保持する（ステップ
６０３）。
【０１６７】
さらに、再度凝縮水制御手段が、アノード２ａ及びカソード２ｂの内部圧力を増加させるようにそれぞれアノード側圧力調整弁１７ａ及びカソード側圧力調整弁１７ｂの開度を絞って制御して内部圧力を上昇させる（ステップ６０４）。
【０１６８】
これにより、発電開始直前の水蒸気分圧が増え、アノード側ガスケット５ａ及びカソード側ガスケット５ｂの内周面の凝縮水量を増加させることができ、より多くの不純物を除去することができる。
【０１６９】
そして、所定の時間が経過したら（ステップ６０５）、凝縮水制御手段が、アノード側圧力調整弁１７ａ及びカソード側圧力調整弁１７ｂの開度を元に戻し、アノード２ａ及びカソード２ｂの内部の圧力を通常の発電するときの圧力に戻す（ステップ６０６）。
【０１７０】
そして、凝縮水制御手段がガスケット冷却流体流路８に流れる冷却流体の流量を低減させ、燃料電池冷却流体流路６に供給し、発電中の燃料電池３の温度を所望の温度にする（ステップ６０７）。
【０１７１】
そして、燃料ガス及び酸化剤ガスの流量を所望の流量に設定して、所望の発電量で発電を開始する（ステップ６０８）。
【０１７２】
上記運転シーケンスで燃料電池発電システムを動作させたところ、実施の形態１と同様の効果を示し、アノード２ａ及びカソード２ｂの内部圧力を上昇させるだけでも、凝縮水の量が増え、不純物に対する影響が緩和することが判った。
【０１７３】
また、実施の形態１と、２の内少なくとも一つの動作と組み合わせて、燃料ガスあるいは酸化剤ガスの内部圧力を増加させるタイミングで、発電量や反応ガス流量を増加させることにより、さらに、アノード側ガスケット５ａあるいはカソード側ガスケット５ｂの内周面の近傍に凝縮する凝縮水量を増加することができ、より不純物を多く除去することができる。
【産業上の利用可能性】
【０１７４】
本発明の燃料電池発電システムは、不純物に影響を受けにくく、発電効率の向上が要望される、高分子型固体電解質を用いた燃料電池、燃料電池デバイス、定置用燃料電池コジェネレーションシステムに有用である。
【符号の説明】
【０１７５】
１  電解質
２ａ  アノード
２ｂ  カソード
３  燃料電池
４ａ  アノード側セパレータ
４ｂ  カソード側セパレータ
５ａ  アノード側ガスケット
５ｂ  カソード側ガスケット
６  燃料電津冷却流体流路
８  ガスケット冷却流体流路
１７ａ  アノード側圧力調整弁
１７ｂ  カソード側圧力調整弁
【図１】
2010267563.tif 000010
【図２】
2010267563.tif 000011
【図３】
2010267563.tif 000012
【図４】
2010267563.tif 000013
【図５】
2010267563.tif 000014
【図６】
2010267563.tif 000015
【図７】
2010267563.tif 000016